(57)【特許請求の範囲】
【請求項１】
苗木に被せて使用する、透明或いは半透明の両端が開口した筒状の苗木保護カバーであって、
苗木の枝葉が横方向に生長する位置に、可視光領域の光の全部或いは一部の全光線透過率を他の部分よりも低下させた領域を帯状に形成してなる苗木保護カバー。
【請求項２】
可視光領域の光の全部或いは一部の全光線透過率を低下させた領域の形成が、苗木保護カバー本体よりも可視光領域の光の全部或いは一部の全光線透過率が低いフィルムを巻き付けることによってなされている請求項１記載の苗木保護カバー。
【発明の詳細な説明】
【０００１】
【発明の属する技術分野】
本発明は、植樹した苗木を保護するために使用する、両端が開口した筒状の保護カバーに関するものである。
【０００２】
【従来の技術】
従来より、山林等に植樹した苗木が、鹿、兎、鼠等の動物に食べられたりすること（獣害）を防止するため、植樹した苗木がある程度生長するまで、両端が開口した筒状の苗木保護カバーを被せて育成する方法が採用されている。
【０００３】
【発明が解決しようとする課題】
ところで、上記の苗木保護カバーは、植樹した苗木に被せて使用するものであるため、当然に苗木は苗木保護カバー内の限られた空間で生長する。
従って、横方向への生長、すなわち、枝葉が横方向に広がるように生長した場合、苗木保護カバー内の空間が密閉されてしまうため、通気性を損ない、密閉された空間内の温度や湿度が上昇しすぎる等して、苗木の生長に支障を来すことも懸念される。
【０００４】
上記の問題を解決するためには、苗木保護カバーの所定箇所に、通気孔を設けることも検討されている。すなわち、横方向に生長した枝葉によって密閉される箇所よりも下方となる部位に通気孔を設けることによって、苗木保護カバー内への通気性を確保し、温度や湿度の上昇を抑えようというのである。
【０００５】
しかしながら、上記のようにして通気孔を設けた場合、その箇所の強度が低下してしまうという問題が生じる。
特に、この種苗木保護カバーは、屋外に設置されるものであるため、設置からある程度経時すると、劣化によって強度が更に低下し、上記の通気孔の箇所が裂けやすくなる。そのため、鹿等の動物によって、苗木保護カバーが破壊されて苗木から取り外され、苗木が食べられてしまうようなことも懸念される。
【０００６】
本発明は、上記の課題を解決するためになされたものであり、苗木保護カバー内での苗木の横方向への生長を抑制することによって、苗木保護カバー内の空間が密閉されるのを抑制し、従って、上記のような通気孔を設けずとも、苗木保護カバー内への通気性を確保しようというものである。
【０００７】
【課題を解決するための手段】
上記の課題を解決するためになされた本発明の苗木保護カバーは、苗木の枝葉が横方向に生長する位置に、可視光領域の光の全部或いは一部の全光線透過率を、他の部位よりも低下させた領域を帯状に形成してなることを特徴とするものである。すなわち、枝葉が横方向に生長し、苗木保護カバー内の空間を密閉してしまいそうな領域について、可視光領域の光の全部或いは一部の全光線透過率を低下させることにより、枝葉の横方向の生長を抑制しようというものである。
【０００８】
【発明の実施の形態】
以下、図面に基づいて本発明の苗木保護カバーの具体的な実施例について説明する。
図１は、本発明の苗木保護カバーの一例を示す図であり、同図中の符号１は本発明の苗木保護カバー、符号１１は可視光領域の光の全部或いは一部の全光線透過率を低下させた領域（以下「遮光領域」という）、符号９は苗木保護カバーを設置するために使用する支柱、符号９１は苗木保護カバー１を支柱９に固定するための紐状体、をそれぞれ示している。
【０００９】
図１に示す苗木保護カバー１は、ポリプロピレン等の合成樹脂に、紫外線吸収剤、ヒンダードアミン系光安定剤、帯電防止剤、酸化防止剤、無機充填剤、着色剤等の各種添加剤を必要に応じて添加した合成樹脂組成物を押出機のＴダイより押し出して得た厚さ０．５〜１．０ｍｍ程度のシートを、所定形状に打ち抜くと同時に所定箇所に折り目線を形成した後、遮光領域１１に相当する箇所に苗木保護カバー本体よりも可視光領域の光の全部或いは一部の全光線透過率が低い塗料を塗布して遮光領域１１を形成し、次いで、折り目線部分で折り曲げ、超音波溶着や接着剤による接着等の手段によって所定箇所を固着して、両端が開口した断面形状が正六角形の筒状に成形して得られたものである。
また、図１に示す苗木保護カバー１は、径（断面形状となる正六角形の対角線長さ）は約１２０ｍｍ、長さは約１４００ｍｍである。
【００１０】
本発明の苗木保護カバー１には、長期間にわたって屋外に設置しておいても容易に割れるようなことがないという特性が要求されるため、ポリプロピレン等の合成樹脂１００重量部当たり、紫外線吸収剤０．０１〜０．２重量部、ヒンダードアミン系光安定剤０．１〜５．０重量部添加した組成物により形成するのが望ましい。
【００１１】
また、苗木保護カバー１における遮光領域１１以外の領域（以下「透明領域」という）１０には、苗木の生長に必要なだけの太陽光（可視光領域）を保護カバー内へ透過し得ることは勿論のこと、そのような特性が長期間持続する（すなわち、長期間屋外に設置しておいても上記領域の全光線透過率が低下しない）という特性が要求されるため、上記のように紫外線吸収剤及びヒンダードアミン系光安定剤を添加すると共に、合成樹脂として、ランダムポリプロピレン５０〜９０重量％とブロックポリプロピレン又は／及び高密度ポリエチレン５０〜１０重量％とにより構成される混合ポリプロピレン、ランダムポリプロピレンとブロックポリプロピレンの共重合樹脂、或いは、メタロセン触媒を用いて重合せしめられたポリエチレン又は／及びメタロセン触媒を用いて重合せしめられたポリプロピレン５０〜９０重量部と高密度ポリエチレン５０〜１０重量％とにより構成される混合合成樹脂を使用するのが望ましい。
【００１２】
遮光領域１１を形成するために塗布する塗料は、溶剤系、水系、紫外線硬化型等の従来より上記の合成樹脂からなる成形品に使用されている塗料に、可視光全領域にわたる光線の透過率を低下させる着色剤（白色着色剤や黒色着色剤）や可視光領域の一部の光線の透過率を低下させる着色剤（有彩色着色）を適宜組み合わせて添加するなどして得た塗料である。尚、これらの着色剤を多量に添加し、不透明塗料としたものであっても使用可能である。
また、これらの塗料中には、必要に応じて、紫外線吸収剤、ヒンダードアミン系光安定剤、無機充填剤、球状弾性ポリマービーズ等の有機充填剤、等の各種添加剤を添加することも可能である。
【００１３】
この塗料を塗布する面は、苗木保護カバー１の外表面となる側の面であってもよいし、苗木保護カバー１の内表面となる側の面であってもよく、両面であってもよい。
また、上記のような塗料を塗布するのに先立ち、塗膜の密着性を向上させるためにコロナ放電処理やプライマー処理を施すことも、勿論可能である。
【００１４】
上記塗料を塗布して形成される遮光領域１１の位置及びその広さについては、苗木保護カバー１を被せる苗木の種類等に応じて適宜選定される。すなわち、本発明の苗木保護カバー１において最も理想的には、遮光領域１１が、枝葉が横方向に生長して苗木保護カバー１内に空間を密閉してしまうことが懸念される領域と一致するように形成され、それ以外の領域は透明領域１０となっているのが望ましいのであるが、枝葉が横方向に生長する箇所は、苗木の種類等によって異なるため、それに応じて遮光領域１１の位置及びその広さを選定することになるからである。
但し、遮光領域１１が、枝葉が横方向に生長して苗木保護カバー１内に空間を密閉してしまうことが懸念される領域と完全に一致させるのは事実上不可能（同種の苗木であっても個体差がある等の理由による）である上、それぞれの苗木の種類に応じた多品種の苗木保護カバーを用意しておくことも困難であるため、この遮光領域１１を広めに設定しておき、複数種の苗木にも対応可能としておくのが現実的である。
【００１５】
尚、上記の塗料は、工場内等において塗布されるのが一般的であるが、スプレー等を用い、苗木保護カバーを設置後に塗料を塗布することも不可能なことではない。
【００１６】
上記のようにして得られた苗木保護カバー１は、例えば、図１に示すように、その下端部が地面に埋設するように苗木Ｔに被せると共に、苗木保護カバー１に近接するように立設された二本の支柱９に、紐状体９１を用いて固定され、設置される。
そして、苗木がある程度生長したところで（植樹してから五年程度経過後）、当該苗木保護カバー１を取り外す。
【００１７】
次に、本発明の苗木保護カバーの他の実施例について説明する。
図２に示す例は、可視光領域の光の全部或いは一部の全光線透過率が低い塗料を塗布するのに代えて、苗木保護カバー本体よりも可視光領域の光の全部或いは一部の全光線透過率が低いフィルムを巻き付けることにより、遮光領域を形成した例であり、図中の符号２は本発明の苗木保護カバー、符号２０は苗木保護カバー本体、符号２１は苗木保護カバー本体２０に巻き付けて遮光領域を形成するためのフィルム（以下「遮光性フィルム」という）をそれぞれ示している。
【００１８】
図２に示す例における苗木保護カバー本体２０は、図１に示す苗木保護カバー１と同様、ポリプロピレン等の合成樹脂に、紫外線吸収剤、ヒンダードアミン系光安定剤、帯電防止剤、酸化防止剤、無機充填剤、着色剤等の各種添加剤を必要に応じて添加した合成樹脂組成物を押出機のＴダイより押し出して得た厚さ０．５〜１．０ｍｍ程度のシートを、所定形状に打ち抜くと同時に所定箇所に折り目線を形成した後、折り目線部分で折り曲げ、超音波溶着や接着剤による接着等の手段によって所定箇所を固着して、両端が開口した断面形状正六角形の筒状に成形して得られたものである。
【００１９】
一方、上記の苗木保護カバー本体２０に巻き付ける遮光性フィルム２１は、ポリエチレン、ポリプロピレン、ポリエチレンテレフタレート、アクリル系樹脂、フッ素系樹脂等の合成樹脂に、帯電防止剤、酸化防止剤、無機充填剤、紫外線吸収剤、ヒンダードアミン系光安定剤、滑剤、ブロッキング防止剤、等の各種添加剤を、必要に応じて添加した合成樹脂組成物をベースとするフィルムであり、合成樹脂組成物中に、可視光全領域にわたる光線の透過率を低下させる着色剤（白色着色剤や黒色着色剤）や可視光領域の一部の光線の透過率を低下させる着色剤（有彩色着色）を適宜組み合わせて添加することにより得た透明又は半透明のフィルム、これらの着色剤を多量に添加することにより得た不透明フィルム、図１に示す苗木保護カバー１における遮光領域１１を形成するために使用する上記の塗料を塗布することにより得た透明、半透明或いは不透明のフィルム、等が使用できる。
【００２０】
この遮光領域を形成するための遮光性フィルム２１は、苗木保護カバー本体２０と接する側の面に粘着剤が塗布されているようなものであってもよいし、当該遮光性フィルム２１を巻き付ける苗木保護カバー本体２０の外表面形状に合わせた筒状に二次成形したもの等であってもよい。
【００２１】
上記の遮光領域を形成するための遮光性フィルム２１を苗木保護カバー本体２０に巻き付け固定する方法としては、適宜の接着剤等を用いて接着する方法、苗木保護カバー本体２０を支柱に固定する際に使用する紐状体等を用いて苗木保護カバー本体２０に固定する方法等が挙げられる（但し、図２では支柱及び紐状体の図示を省略）。
尚、接着剤等を用いる場合には、上記した通り、本発明の苗木保護カバー２が五年間程度屋外に設置されるものであるため、それ相応の耐久性のあるものを選択して使用する必要がある。
また、紐状体等を用いて苗木保護カバー本体２０に固定する場合には、遮光性フィルム２１が上下方向にずれないにするために、遮光性フィルム２１の所定箇所に紐状体９１等を挿通させるための孔等を設けておくこともできる。
【００２２】
以上のように、遮光領域を苗木保護カバー本体２０とは別体の遮光性フィルム２１を用い、設置する際に苗木保護カバー本体２０に遮光性フィルム２１を巻き付けて固定することによって形成する方法を採用した場合、当該苗木保護カバー２を被せようとする苗木の種類や大きさに合わせて遮光領域を形成することができるといった利点や、苗木保護カバー２を設置してからしばらく経過した後に、苗木の生長に合わせて遮光性フィルム２１を移動させたり（紐状体９１等を用いて固定した場合）、新たな遮光性フィルム２１を追加して巻き付けるなどして、遮光領域を容易に変更することができるといった利点がある。
【００２３】
尚、遮光性フィルム２１を、苗木保護カバー本体２０に巻き付けて固定する時期は、上記のように苗木保護カバー２を設置するときに限られるものではなく、例えば、苗木保護カバー本体２０を組み立てるとき（すなわち、所定箇所で折り曲げ、固着するとき）に、遮光性フィルム２１を巻き付けて固定することも可能である。
また、このように苗木保護カバー本体２０を組み立てるときに遮光性フィルム２１を巻き付けて固定した場合や、図１に示す例のように塗料を塗布することによって遮光領域を形成した場合では、上記のように遮光領域を移動させることは不可能であるが、後から上記したような遮光性フィルムを追加して巻き付けるなどして、遮光領域を広げることは、勿論可能である。
【００２４】
以上、遮光領域を塗料を塗布することによって形成した例、及び遮光性フィルムを巻き付けることによって形成した例について説明したが、本発明の苗木保護カバーにおける遮光領域を形成する方法は、以上に挙げた方法に限られるものではなく、例えば、苗木保護カバーの素材となるシートを形成する際に、Ｔダイから押し出したシート本体となる合成樹脂組成物上の所定範囲に、上記のような着色剤を含有する合成樹脂組成物を押し出し、これをシート化する方法や、上記の遮光領域となる範囲に可視光領域の全光線透過率を低下させ得るような微細な凹凸絞を形成する方法、等によって遮光領域を形成することも可能である。
しかし、遮光の度合いを自由に選定することができ、かつ、低コストにて遮光領域を形成することが可能という点では、当該遮光領域を塗料を塗布ことによって形成したり、遮光性フィルムを巻き付けることによって形成するのが有利であり、その中でも、苗木保護カバー設置時に遮光領域を選定でき、かつ、苗木の生長に合わせ、遮光領域を移動させたり、広げたりすることが比較的容易である点では、遮光領域を遮光性フィルムを巻き付けることによって形成するのが有利である。
【００２５】
また、図１及び図２に示す例は、いずれも苗木保護カバーの略中央部を遮光領域とし、下端部及び上端部は、透明領域とした例を示しているが、例えば、当該遮光領域が苗木保護カバー上端にまで達する（すなわち苗木保護カバー上端部の透明領域を設けない）ようにしたものなどであってもよい。
【００２６】
尚、本発明の苗木保護カバーの形状は、図１及び図２に示すような断面形状が正六角形となったものに限られず、断面形状が円や、四角形や八角形等の他の多角形となったものであってもよいが、山林地帯の多い我が国においては、苗木保護カバーを嵩張らないように折り畳んだ状態で運べる断面が正偶数角形となったものが好適である。
また、本発明の苗木保護カバーは、保形性向上等を目的として、一方の端部或いは両端部に折り返し部を形成したものであってもよい。
【００２７】
【発明の効果】
以上述べた通り、本発明の苗木保護カバーは、所定箇所に遮光性領域を設けているため、当該苗木保護カバー内にて育成させる苗木は、植物が有する屈光性の作用によって、枝葉が横方向に生長するよりも、上方向に生長しようとし、従って、横方向に枝葉が生長し過ぎて苗木保護カバー内の空間を密閉してしまうようなことが生じ難い。
従って、苗木保護カー内への通気性を損ない、密閉された空間内の温度や湿度が上昇しすぎて、苗木の生長に支障を来すようなことも生じ難い。
【００２８】
また、遮光領域を塗料を塗布ことによって形成したり、遮光性フィルムを巻き付けることによって形成する場合には、遮光の度合いを自由に選定することができると共に、低コストにて遮光領域を形成することが可能であるという利点がある。
【００２９】
更にまた、遮光領域を遮光性フィルムを巻き付けることによって形成する場合には、苗木保護カバー設置時に遮光領域を選定できると共に、苗木の生長に合わせ、遮光領域を移動させたり、広げたりすることが比較的容易であるという利点がある。
【図面の簡単な説明】
【図１】本発明苗木保護カバーの一実施例を示す図である。
【図２】本発明の苗木保護カバーの他の実施例を示す図である。
【符号の説明】
１，２  苗木保護カバー
１０    透明領域
１１    遮光領域
２０    苗木保護カバー本体
２１    遮光性フィルム
９      支柱
９１    紐状体
【図１】
0004028636.tif 000002
【図２】
0004028636.tif 000003